(57)【要約】【課題】  勃起促進作用に優れ、十分な勃起を高率で得ることができる陰茎勃起補助装置の提供。【解決手段】外筒体と、該外筒体の内部に挿置された内筒体と、該内筒体内を陰圧にする陰圧ポンプ機構部と、該内筒体を前後摺動せしめる駆動機構部とを備えたことを特徴とする陰茎勃起補助装置。【選択図】  図１
2005066175.tif 000002
【特許請求の範囲】
【請求項１】
外筒体と、該外筒体の内部に挿置された内筒体と、該内筒体内を陰圧にする陰圧ポンプ機構部と、該内筒体を前後摺動せしめる駆動機構部とを備えたことを特徴とする陰茎勃起補助装置。
【請求項２】
内筒体が、その内周壁部に空気により膨満する筒状袋体を備えていると共に、該筒状袋体内に空気を入れる空気注入具を備えていることを特徴とする請求項１記載の陰茎勃起補助装置。
【請求項３】
内筒体を前後摺動せしめる駆動機構部が、モータと、モータの回転運動を往復運動に変換せしめる変換手段と、変換された往復運動を内筒体に伝達する伝達手段とから構成されることを特徴とする請求項１又は２記載の陰茎勃起補助装置。
【請求項４】
内筒体を前後摺動せしめる駆動機構部が、内筒体の前端外面部と外筒体の前端内面部との間に介在設置されたスプリングと、内筒体内及びスプリング介在部の外筒体内を周期的に陰圧にするタイマーを備えた陰圧ポンプとから構成されることを特徴とする請求項１又は２記載の陰茎勃起補助装置。
【発明の詳細な説明】
【技術分野】
【０００１】
本発明は陰茎勃起補助装置に関する。
【背景技術】
【０００２】
中高齢者人口の増加にともない、陰茎勃起障害者人口もおのずから増加している。また、社会的要因などにより、青壮年における勃起障害も増加している。
陰茎勃起障害を改善することは、中高齢者にとっても、性生活の改善はＱＯＬの向上に極めて重要である。
【０００３】
勃起障害の主な原因としては、精神的要因、末梢神経障害、内分泌障害、末梢循環障害、薬物による副作用等が挙げられる。
因に、日本人における勃起障害は、５５−５９歳で４２％、６５−６９歳で６５％(Shirai M: Impotence 2: 67-93, 1987)、糖尿病患者では７５％(Soh J: Int J Urol 7(Suppl 88): 110, 2000)、高血圧患者では６８％前後(Burchardt M: J Urol 164: 1188, 2000)で、前立腺手術でも高率に発生する(Walsh PC: J Urol 128: 492-497, 1982)。
【０００４】
而して、斯かる勃起障害者の陰茎勃起を促進する補助装置としては、陰茎基部を圧迫するリング（例えば特許文献１参照）や血液流入を促進する陰圧装置（例えば特許文献２参照）が既に報告されている。
【０００５】
しかしながら、これら従来の補助装置によっては勃起しない例が多数見られ、未だ十分満足のできる結果が得られていないのが実状であった。
【特許文献１】特開２００３−１３５５０１号公報
【特許文献２】特表２００２−５０５１５４号公報
【発明の開示】
【発明が解決しようとする課題】
【０００６】
本発明は、上記の如き従来の実状に鑑みてなされたもので、勃起促進作用に優れ、十分な勃起を高率で得ることができる陰茎勃起補助装置を提供することを目的とする。
【課題を解決するための手段】
【０００７】
本発明陰茎勃起補助装置は、外筒体と、該外筒体の内部に挿置された内筒体と、該内筒体内を陰圧にする陰圧ポンプ機構部と、該内筒体を前後摺動せしめる駆動機構部とを備えたことを特徴とする。
【発明の効果】
【０００８】
本発明陰茎勃起補助装置を用いれば、内筒体内に挿入された陰茎は、当該内筒体内が陰圧となることによって、その陰茎海綿体と尿道海綿体にも陰圧が加わる結果、血液の流入が促進せしめられると共に、血液の流出が阻止され、かつまた同時に内筒体の前後運動による陰茎の刺激により陰茎動脈血流を増加せしめることができるので、格段に優れた勃起促進作用が得られ、陰茎勃起障害者に十分な満足を与えることができる。
【発明を実施するための最良の形態】
【０００９】
本発明の実施に当たっては、内筒体の内周壁部に空気により膨満する筒状袋体を設けると共に、該筒状袋体内に空気を入れる空気注入具を設けるのが、内筒体の内径を実質的に縮小せしめることによって陰茎の外径に適合せしめることができると共に、ソフトな触感で陰茎に対して前後摺動による刺激を与えることができるので有利である。
【００１０】
また、内筒体を前後摺動せしめる駆動機構部としては、モータと、モータの回転運動を往復運動に変換せしめる変換手段と、変換された往復運動を内筒体に伝達する伝達手段とから構成されたもの、あるいは内筒体の前端外面部と外筒体の前端内面部との間に介在設置されたスプリングと、内筒体内及びスプリング介在部の外筒体内を周期的に陰圧にするタイマーを備えた陰圧ポンプとから構成されたものが、コンパクトな形態で、しかも簡便に使用し得るので有利である。
【実施例】
【００１１】
実施例１
図１は、本発明装置の第１の実施例を示すもので、以下該図に基いて説明する。
【００１２】
１０は外筒体で、その基部に陰茎挿入口１１が形設されていると共に、その前部に吸引管挿通口１２が形設されている。２０は内筒体で、外筒体１０の内部に摺動可能に挿置されており、その基部に陰茎挿入口２１が形設されていると共に、その前部に吸引管連結部（図示省略）が形設されている。２２は筒状袋体で、内筒体２０の内周壁部に取り付けられ、非使用時においてはひだ状に収縮した状態にあり、使用時には空気の注入により膨満して断面ドーナツ状となり、その中空部に挿入されている陰茎の外径に適合した状態となる。
【００１３】
尚、内筒体２０の内径ａ、内筒体２０の長さｂ、外筒体１０の外径ｃ及び膨満時の筒状袋体の内径ｄは、挿入する陰茎に対応せしめて適宜設定することができるが、通常ａ＝３〜５cm、ｂ＝１５〜２５cm、ｃ＝５〜７cm、ｄ＝１〜３cmとするのが好ましい。
【００１４】
３０は空気注入具で、筒状袋体２２に空気を入れることができるものであれば如何なるものも使用し得るが、例えば、筒状袋体２２に連結するチューブ３１を備えた注射器が簡便で好適に使用される。
【００１５】
４０は陰圧ポンプ機構部で、陰圧ポンプ４１と内筒体２０に連結された吸引管４２とから構成され、当該内筒体２０内を陰圧にするものである。尚、４３は吸引管４２に設置された陰圧調節弁である。
【００１６】
５０は駆動機構部で、内筒体２０を、挿入された陰茎の軸方向に沿って前後摺動せしめるものである。この駆動機構部５０は、外筒体１０の外側下部に配設されている。駆動機構部５０は、モータ５１と、モータ５１の回転運動を往復運動に変換する変換手段５２と、往復運動を内筒体２０に伝達する連結手段５３と、電池（図示省略）とから構成されている。当該連結手段５３は垂直杆部５３ａとその上部に連設された枠状取付部５３ｂから成り、外筒体１０の基部がわの下部に形設されたスリット５４から垂直杆部５３ａを突出せしめて、上部の枠状取付部５３ｂが内筒体２０の基部外側に取り付けられており、当該連結手段５３と共にスリット５４に沿って内筒体２０が１〜６cm程度前後摺動するようになっている。
【００１７】
駆動機構部５０における具体的な運動変換手段５２としては、図２（１）に示す如きクランク５２ａ変換方式や図２（２）に示す如き歯車５２ｂ変換方式の如何を問わない。また、モータを用いない駆動機構方式としては、図２（３）に示す如き、加圧ポンプ５５ａと、シリンダ外筒５５ｂと、内部ピストン５５ｃと、スプリング５５ｄと、連結手段５３とから成る加圧ポンプ機構５５も好適に使用される。
【００１８】
次に、上記実施例１に係る本発明装置の使用法を説明する。
まず、陰茎を外筒体１０の陰茎挿入口１１及び内筒体２０の陰茎挿入口２１から挿入し、内筒体２０内に挿置する。次いで、空気注入具３０により筒状袋体２２内に空気を注入し、当該筒状袋体２２を膨満させ、陰茎の外径に適合せしめる。次いで、陰圧ポンプ４１を作動せしめて内筒体２０の内を陰圧にすると共に、駆動機構部５０を作動せしめて内筒体２０を前後摺動せしめる。
斯くして、陰茎は、陰圧作用と内筒体２０の前後運動による刺激により、血液の流入が促進増加し、勃起状態となる。
【００１９】
実施例２
図３は、本発明装置の第２の実施例を示すもので、駆動機構部５０が外筒体１０の前方部に配設されている以外は第１の実施例と同様に構成されている。従って、その使用法も実施例１と同様である。
【００２０】
実施例３
図４は、本発明装置の第３の実施例を示すもので、内筒体２０を前後摺動せしめる駆動機構部５０が、内筒体２０の前端外面部と外筒体１０の前端内面部との間に介在設置されたスプリング５６と、内筒体２０内及びスプリング５６介在部の外筒体１０内を周期的に陰圧にするタイマー５７を備えた陰圧ポンプ５８とから構成されている以外は実施例１と同様に構成されている。
【００２１】
次に、上記実施例３に係る本発明装置の使用法を説明する。
まず、実施例１と同様に、内筒体２０内に陰茎を挿置して筒状袋体２２に空気を入れ膨満させる。次いで、陰圧ポンプ５８をタイマー５７により周期的に作動せしめれば、作動時には内筒体２０内及び外筒体１０内が陰圧状態となるので、内筒体２０がスプリング５６を圧縮しつつ前進摺動し、他方非作動時には外筒体１０内の陰圧状態が解除されるので、スプリング５６が伸張して内筒体２０が後退摺動する。
斯くして、陰茎は陰圧作用と内筒体２０の前後運動による刺激により、血流の流入が促進増加し、勃起状態となる。
【図面の簡単な説明】
【００２２】
【図１】本発明装置の第１の実施例を示す概略側面構成説明図。
【図２】駆動機構例を示す斜視説明図。
【図３】本発明装置の第２の実施例を示す概略側面構成説明図。
【図４】本発明装置の第３の実施例を示す概略側面構成説明図。
【符号の説明】
【００２３】
１０：外筒体
１１：陰茎挿入口
１２：吸引管挿通口
２０：内筒体
２１：陰茎挿入口
２２：筒状袋体
３０：空気注入具
３１：チューブ
４０：陰圧ポンプ機構部
４１：陰圧ポンプ
４２：吸引管
４３：陰圧調節弁
５０：駆動機構部
５１：モータ
５２：変換手段
５２ａ：クランク
５２ｂ：歯車
５３：連結手段
５３ａ：垂直杆部
５３ｂ：枠状取付部
５４：スリット
５５：加圧ポンプ機構
５５ａ：加圧ポンプ
５５ｂ：シリンダ外筒
５５ｃ：内部ピストン
５５ｄ：スプリング
５６：スプリング
５７：タイマー
５８：陰圧ポンプ
ａ：内筒体の内径
ｂ：内筒体の長さ
ｃ：外筒体の外径
ｄ：筒状袋体の内径
【図１】
2005066175.tif 000003
【図２】
2005066175.tif 000004
【図３】
2005066175.tif 000005
【図４】
2005066175.tif 000006